(57)【特許請求の範囲】
【請求項１】
指で回転操作するようになっている操作つまみと、
前記操作つまみを回転させるとその回転方向に応じて正方向または逆方向に回動される第１のレバーと、
前記操作つまみを正方向または逆方向に所定の角度以上回転させると一方向に回動する第２のレバーと、
前記第１のレバーが正方向に回動されると押される加算スイッチと、
前記第１のレバーが逆方向に回動されると押される減算スイッチと、
前記第２のレバーが回動されると押されるモードスイッチと、
を具備し、前記第１のレバーは前記操作つまみの回転中心に対して互いに反対側に支点ピンと被係合部とを有し、前記被係合部が前記操作つまみの係合部と係合され、しかも前記支点ピンに対して互いに反対側の側部に突出するように一対の押圧部を有し、該一対の押圧部が前記加算スイッチと前記減算スイッチとをそれぞれ押圧することを特徴とする操作装置。
【請求項２】
前記第２のレバーの被押圧部は前記操作つまみが正方向または逆方向に所定の角度以上回転されると該操作つまみの押圧部によって押圧されるようになっており、これによって前記第２のレバーが回動して前記モードスイッチを押圧することを特徴とする請求項１に記載の操作装置。
【請求項３】
前記操作つまみの軸受に巻装されている戻しばねによって前記操作つまみが正方向および逆方向の回転に対して中立位置に付勢されることを特徴とする請求項１に記載の操作装置。
【請求項４】
前記加算スイッチが押されると同調周波数が増加され、前記減算スイッチが押されると同調周波数が減少され、前記モードスイッチが押されると増加または減少の動作が早く行なわれるようにしたことを特徴とする請求項１に記載の操作装置。
【発明の詳細な説明】
【０００１】
【発明の属する技術分野】
本発明は操作装置に係り、とくに操作つまみを指で回転操作するようにした操作装置に関する。
【０００２】
【従来の技術】
例えばラジオ受信機の同調表示装置として、ダイヤル指針を用いた表示装置に代えて、同調周波数を数字によって直接デジタル表示するようにした表示装置が用いられている。このような表示装置を備える同調装置によって同調を行なう場合には、加算スイッチを押すと同調周波数がゆっくりと増加する。これに対して減算スイッチを押すと同調周波数がゆっくりと低減される。
【０００３】
同調周波数を大幅に変更した場合にはこのような通常の操作によると、時間を要する。そこでさらに早送りの加算スイッチと早送りの減算スイッチとを付加し、早送りの加算スイッチが押されると同調周波数が早く増加されるようにし、早送りの減算スイッチを押すと同調周波数が迅速に低減されるようにした同調装置が用いられるようになっている。
【０００４】
このような同調装置によれば、４つの操作を行なうための４つの操作釦と、これらの操作釦に対応する４つの電気的なスイッチが必要になる。また同調装置のマイクロコンピュータの４つのポートにそれぞれ上記４つのスイッチを接続することになり、このためにマイクロコンピュータの４つのポートが占有されることになる。
【０００５】
【発明が解決しようとする課題】
そこでこのようなスイッチの数を低減するために、加算スイッチと減算スイッチの他に、高速送りスイッチを設けるようにし、加算スイッチのみが押された場合にはゆっくりと同調周波数が増加するようにし、減算スイッチのみが押された場合には同調周波数がゆっくり低減されるようにしている。これに対して加算スイッチと早送りスイッチとが押された場合には、同調周波数が高速で加算されるようにし、また減算スイッチと早送りスイッチとが押された場合には同調周波数が高速で減算されるようにしている。
【０００６】
このような同調表示装置における操作装置の欠点は、早送りで同調周波数を増加あるいは減少させる場合には、何れも２つの釦を同時に押続ける必要があり、このために操作性が悪いという問題がある。
【０００７】
本発明はこのような問題点に鑑みてなされたものであって、片手操作のみによってゆっくりした速度の加算動作と、同減算動作と、高速の加算動作と、同減算動作とを行なうことを可能にするとともに、スイッチの数が３つでこのような動作が達成されるようにした操作装置を提供することを目的とするものである。
【０００８】
【課題を解決するための手段】
本発明は、指で回転操作するようになっている操作つまみと、
前記操作つまみを回転させるとその回転方向に応じて正方向または逆方向に回動される第１のレバーと、
前記操作つまみを正方向または逆方向に所定の角度以上回転させると一方向に回動する第２のレバーと、
前記第１のレバーが正方向に回動されると押される加算スイッチと、
前記第１のレバーが逆方向に回動されると押される減算スイッチと、
前記第２のレバーが回動されると押されるモードスイッチと、
を具備し、前記第１のレバーは前記操作つまみの回転中心に対して互いに反対側に支点ピンと被係合部とを有し、前記被係合部が前記操作つまみの係合部と係合され、しかも前記支点ピンに対して互いに反対側の側部に突出するように一対の押圧部を有し、該一対の押圧部が前記加算スイッチと前記減算スイッチとをそれぞれ押圧することを特徴とする操作装置に関するものである。
【００１０】
前記第２のレバーの被押圧部は前記操作つまみが正方向または逆方向に所定の角度以上回転されると該操作つまみの押圧部によって押圧されるようになっており、これによって前記第２のレバーが回動して前記モードスイッチを押圧するようにしてよい。
【００１１】
前記操作つまみの軸受に巻装されている戻しばねによって前記操作つまみが正方向および逆方向の回転に対して中立位置に付勢されてよい。
【００１２】
前記加算スイッチが押されると同調周波数が増加され、前記減算スイッチが押されると同調周波数が減少され、前記モードスイッチが押されると増加または減少の動作が早く行なわれるようにしてよい。
【００１３】
【発明の実施の形態】
図１および図２は本発明の一実施の形態に係る操作装置を備えるラジオ受信機を示している。このラジオ受信機はその筐体がフロントキャビネット１１とリヤキャビネット１２とから構成され、これらが互いに接合されて偏平な直方体状の筐体を構成している。フロントキャビネット１１の前面側であってその左側の部分には無数の小孔から成る音孔１３が形成されている。またこのような音孔１３が設けられている領域の右側には横長に表示部１４が形成されており、この表示部１４によって同調周波数の表示を行なうようにしている。また表示部１４の下側には押釦１５、１６、１７が配列されている。なおとくに小さな押釦１７はクロック釦から構成されている。
【００１４】
表示部１４によって同調表示を行なうための同調装置は操作つまみ２０を備えている。操作つまみ２０を有する同調装置は図３に示すように第１のレバー２１と第２のレバー２２と、加算スイッチ２３と、減算スイッチ２４と、モードスイッチ２５とから構成されている。なお加算スイッチ２３、減算スイッチ２４、およびモードスイッチ２５は回路基板２６上にマウントされている（図７および図８参照）。
【００１５】
ＡＢＳ樹脂、ＡＳ樹脂等の成形体であるキャビネット１１の側壁２９の部分には図３に示すような筒状軸受３０が連設されている。このような筒状軸受３０の根元側であって側壁２９には横長開口３１が形成されている。
【００１６】
これに対して側壁２９の筒状軸受３０によって回転自在に支持される操作つまみ２０は合成樹脂によって成形され、その中心部には筒体から成る軸部３４が形成されており、このような軸部３４が図５および図６に示すように、側壁２９の筒状軸受３０内に挿入されて回転可能に支持されている。また操作つまみ２０の軸部３４には一体に係止爪３５が連設されるとともに、このような係止爪３５が筒状軸受３０のエッジの部分に係合されている。
【００１７】
操作つまみ２０には図３および図５に示すように突出部から成る係合部３６が連設され、このような突出部３６が第１のレバー２１を回動させるようにしている。また操作つまみ２０の下端側には別のピン状突部から成る押圧部３７が形成されており、このような押圧部３７によって第２のレバー２２を回動させるようにしている。
【００１８】
側壁２９の筒状軸受３０の外周上には図３および図４に示すように戻しばね４０が取付けられている。この戻しばね４０は筒状軸受３０の外周側に複数回巻回されるようになっており、しかもその両端がそれぞれＬ字状に屈曲された係止片４１、４２から構成されている。一方の係止片４１は図４に示すようにつまみ２０側の係止用リブ４３とキャビネット１１側の係止用リブ４４とに係止されている。これに対して反対側の係止片４２はつまみ２０側の係止用リブ４５とキャビネット１１側の係止用リブ４６とに係止されるようになっている。
【００１９】
次に第１のレバー２１について説明すると、この第１のレバー２１は弾性を有する合成樹脂、例えばポリオキシメチレンから成り、支点ピン５０を備え、この支点ピン５０はキャビネット１１に形成されている一対の押え５１（図６参照）によって押えられ、これによってキャビネット１１に対して回動自在に支持されている。また第１のレバー２１の上端側には長円形の被係合部５２が連設されており、このような被係合部５２内に上記操作つまみ２０の係合部３６を受入れるようにしている。また第１のレバー２１は支点ピン５０の両側にそれぞれＵ字状屈曲部５３、５４を備えるとともに、これらの屈曲部５３、５４の先端側にはそれぞれ押圧部５５、５６が連設されている。これらの押圧部５５、５６がそれぞれ加算スイッチ２３と減算スイッチ２４とを押圧するようになっている。
【００２０】
次に第２のレバー２２について説明すると、第２のレバー２２は例えばＡＳ樹脂、ＡＢＳ樹脂等の合成樹脂成形体であって、連結部６０を介して一対の押釦６１、６２と連結されており、連結部６０の部分においてキャビネット１１の内側に取付けられるようになっている。そして第２のレバー２２にはその中間位置に図８に示すようにコ字状に屈曲された被押圧部６３が形成されている。このような被押圧部６３は操作つまみ２０が正方向または逆方向に大きく回転されると、そのピン状突部から成る押圧部３７によって押圧され、これによって変形されるようになっている。そしてこのような第２のレバー２２の変形によって、その先端部６４がモードスイッチ２５を押圧するようになっている。
【００２１】
このように本実施の形態に係る操作装置は、操作つまみ２０の筒体から成る軸部３４の係止爪３５をキャビネット１１の側壁２９の筒状軸受３０のエッジの部分に図６に示すように係止し、これによって筒状軸受３０の軸線を中心として操作つまみ２０を回転可能に支持するようにしている。
【００２２】
また第１のレバー２１はその支点ピン５０をキャビネット１１に一体に設けられている押え５１によって図６および図７に示すように押さえるようにし、これによって支点ピン５０の軸線を中心として第１のレバー２１を回動可能に支持するようにしている。
【００２３】
これに対して第２のレバー２２はフロントキャビネット１１と回路基板２６とに連結部６０が挟まれて固定されるようになっている。そして回路基板２６上に加算スイッチ２３、減算スイッチ２４、およびモードスイッチ２５がそれぞれマウントされている。また図４に示すように、操作つまみ２０は筒状軸受３０上に巻装されている戻しばね４０によって中立位置へ戻されるように付勢されている。
【００２４】
次にこのような操作装置の動作について説明する。まず周波数を下げる場合には図７に示すように操作つまみ２０を筒状軸受３０の軸線を中心として左へ、すなわち反時計方向に回転させる。するとこの操作つまみ２０に連設されている係合部３６が左方へ移動し、第１のレバー２１の被係合部５２を左方へ押圧し、これによって第１のレバー２１を支点ピン５０を中心として反時計方向に回動させる。すると第１のレバー２１の支点ピン５０の右側にＵ字状屈曲部５４を介して連設されている押圧部５６が右側の減算スイッチ２４を押圧することになり、これによって表示部１４の同調周波数が下がるようになる。
【００２５】
操作つまみ２０をさらに反時計方向に回転させると、この操作つまみ２０に連設されているピン状突部から成る押圧部３７が図８に示すように反時計方向に回動され、第２のレバー２２の被押圧部６３の右側の部分を押上げることになる。このために第２のレバー２２は連結部６０を中心として変形し、先端部６４がモードスイッチ２５を押圧することになる。
【００２６】
このときに操作つまみ２０は第１のレバー２１の押圧部５６を介して減算スイッチ２４を押圧したままの状態にある。すなわち減算スイッチ２４とモードスイッチ２５とがともに同時に押された状態になる。従って高速で減算動作が行なわれるようになり、表示部１４の同調周波数が下がるスピードが早くなる。
【００２７】
これに対して表示部１４の周波数を増加させたい場合には図７に示す操作つまみ２０を時計方向に回動させる。すると操作つまみ２０の突出部から成る係合部３６が第１のレバー２１の被係合部５２を右側へ押圧し、これによって支点ピン５０を中心として第１のレバー２１を時計方向に回動させる。従って第１のレバー２１の押圧部５５が左側の加算スイッチ２３を押圧することになり、これによって表示部１４によって表示される同調周波数が加算されることになる。
【００２８】
操作つまみ２０をさらに右側へ大きく回動させると、操作つまみ２０に設けられている押圧部３７が図８に示す方向とは反対方向、すなわち時計方向に回動し、これによって第２のレバー２２の被押圧部６３の左側の部分を押圧し、このレバー２２を連結部６０を中心として反時計方向に回動させるようになる。従ってこの場合においても、第２のレバー２２の先端部６４がモードスイッチ２５を押すことになる。すなわちこの場合には、加算スイッチ２３とモードスイッチ２５とが押され、表示部１４の同調周波数が高速で増加されるようになる。
【００２９】
加算スイッチ２３と減算スイッチ２４とを選択的に押圧する押圧部５５、５６を両側に備える第１のレバー２１には、押圧部５５、５６の根元側の部分にそれぞれＵ字状屈曲部５３、５４が形成されており、このようなＵ字状屈曲部５３、５４によってファースト動作時に変形が行なわれ、加算スイッチ２３あるいは減算スイッチ２４への過負荷を防止する。従ってスイッチ２３、２４が強く押圧されることによって損傷されることが防止される。
【００３０】
操作つまみ２０の軸部３４を回転可能に支持する筒状軸受３０の外周側には図４に示すような戻しばね４０が巻装されている。そしてこのような戻しばね４０の両側のＬ字状の係止片４１、４２はそれぞれ係止用リブ４３、４４、および４５、４６に係止されるようになっている。
【００３１】
いま操作つまみ２０を図４において時計方向に回転操作すると、このつまみ２０と一体になっている係止用リブ４３、４５がそれぞれ時計方向に移動することになる。これによってばね４０の第２の係止片４２が時計方向に移動される。これに対して第１の係止片４１はキャビネット１１側のリブ４４によってその移動が規制されるために、戻しばね４０は一対の係止片４１、４２間の距離が短くなるようにつぼめられて弾性変形される。従って操作つまみ２０から手を離すと、このつまみ２０は矢印で示す時計方向とは逆方向、すなわち反時計方向に回転して元の状態に復帰される。
【００３２】
操作つまみ２０を図４において矢印とは反対方向、すなわち反時計方向に回転操作すると、同方向に係止用リブ４３、４５が移動されることになる。そして係止用リブ４３の移動によって第１の係止片４１が時計方向に移動される。これに対して第２の係止片４２はキャビネット側のリブ４６によってその位置にとどまるために、この場合においても、戻しばね４０はつぼまる方向に変形されるようになる。そしてこのようなばね４０の弾性復元力によって、つまみ２０から手を離すと時計方向に回動復帰され、中立位置へ戻ることになる。
【００３３】
本実施の形態に係る操作装置は上述の如く、つまみ２０のみの指による操作によって、同調周波数をゆっくりと増加させるモードと、同調周波数をゆっくりと減少させるモードと、同調周波数を早く増加させるモードと、同調周波数を早く減少させるモードの４つのモードを達成するようにしている。しかも内部に組込まれているスイッチは図３および図６から明らかなように、３つのスイッチ２３、２４、２５から構成されるようになっている。
【００３４】
このように３つのスイッチ２３、２４、２５によって４つのモードを行なうことによって、同調装置のコストダウンを図ることが可能になるとともに、同調装置に組込まれているマイクロコンピュータのスイッチポートの有効利用を図ることが可能になる。しかも二重押しを行なう必要がなく、操作性が向上する。また操作つまみ２０の回転角度を大きくするだけでファーストモードになるために、切換えを多用する場合にその効果が大きい。
【００３５】
なお本実施の形態に係る操作装置は、表示部１４によって表示される同調周波数のみではなく、時刻表示のアップ、およびダウン操作にも応用されるようになっている。この操作は、このラジオ受信機のパワースイッチをＯＦＦにするとともに、フロントキャビネット１１の設けられているクロック釦１７を操作した状態で操作つまみ２０を上記の同調周波数の操作と同様の操作を行なうことによって達成されるようになっている。
【００３６】
従ってパワースイッチをＯＦＦにするともとに、クロック釦１７を操作した状態で、操作つまみ２０を左方へ回転させると時刻表示が減算されるとともに、大きく回転操作するとその速度が速くなる。また操作つまみ２０を右方へ回転させると時刻の表示がゆっくりと増加される。さらに大きく回転させると高速で時刻表示が加算されるようになる。
【００３７】
【発明の効果】
以上のように本発明は、指で回転操作するようになっている操作つまみと、操作つまみを回転させるとその回転方向に応じて正方向または逆方向に回動される第１のレバーと、操作つまみを正方向または逆方向に所定の角度以上回転させると一方向に回動する第２のレバーと、第１のレバーが正方向に回動されると押される加算スイッチと、第１のレバーが逆方向に回動されると押される減算スイッチと、第２のレバーが回動されると押されるモードスイッチと、を具備し、第１のレバーは操作つまみの回転中心に対して互いに反対側に支点ピンと被係合部とを有し、被係合部が操作つまみの係合部と係合され、しかも支点ピンに対して互いに反対側の側部に突出するように一対の押圧部を有し、該一対の押圧部が加算スイッチと減算スイッチとをそれぞれ押圧するようにしたものである。
【００３８】
従って操作つまみを正方向または逆方向に回転させると、第１のレバーによって加算スイッチまたは減算スイッチが押されるとともに、操作つまみを所定の角度以上回転させると第２のレバーを介してモードスイッチが押されるようになり、加算動作あるいは減算動作のモードが変更される。
【００３９】
しかも第１のレバーは操作つまみの回転中心に対して互いに反対側に支点ピンと被係合部とを有し、被係合部が操作つまみの係合部と係合され、しかも支点ピンに対して互いに反対側の側部に突出するように一対の押圧部を有し、該一対の押圧部が加算スイッチと減算スイッチとをそれぞれ押圧するようにしているために、操作つまみの回転方向に応じて第１のレバーを介して加算スイッチと減算スイッチとを選択的に押圧できるようになる。
【００４０】
第２のレバーの被押圧部は操作つまみが正方向または逆方向に所定の角度以上回転されると該操作つまみの押圧部によって押圧されるようになっており、これによって第２のレバーが回動してモードスイッチを押圧するようにした構成によれば、操作つまみが所定の角度以上回転された場合に第２のレバーによってモードスイッチが押圧されることになる。
【００４１】
操作つまみの軸受に巻装されている戻しばねによって操作つまみが正方向および逆方向の回転に対して中立位置に付勢されるようにした構成によれば、正方向または逆方向に回転された操作つまみが中立位置へ戻しばねによって戻されることになる。
【００４２】
加算スイッチが押されると同調周波数が増加され、減算スイッチが押されると同調周波数が減少され、モードスイッチが押されると増加または減少の動作が早く行なわれるようにした構成によれば、単一の操作つまみの回転操作のみによって、３つのスイッチで同調周波数のゆっくりとした加減算と、早送りの加減算とがそれぞれ行なわれることになる。
【図面の簡単な説明】
【図１】本発明の一実施の形態に係る操作装置を備えるラジオ受信機の外観斜視図である。
【図２】同正面図である。
【図３】同要部分解斜視図である。
【図４】戻しばねによる操作つまみの戻し動作を示すための正断面図である。
【図５】操作つまみおよびこの操作つまみに関連する機構を示す縦断面図である。
【図６】同底面図である。
【図７】同操作つまみを省略した状態の正面図である。
【図８】同操作つまみを省略した状態の第２のレバーを示す正面図である。
【符号の説明】
１１‥‥フロントキャビネット、１２‥‥リヤキャビネット、１３‥‥音孔（無数の小孔）、１４‥‥表示部、１５、１６‥‥押釦、１７‥‥押釦（クロック釦）、２０‥‥操作つまみ、２１‥‥第１のレバー、２２‥‥第２のレバー、２３‥‥加算スイッチ、２４‥‥減算スイッチ、２５‥‥モードスイッチ、２６‥‥回路基板、２９‥‥側壁、３０‥‥筒状軸受、３１‥‥横長開口、３４‥‥軸部（筒体）、３５‥‥係止爪、３６‥‥係合部（突出部）、３７‥‥押圧部（ピン状突部）、４０‥‥戻しばね、４１、４２‥‥係止片、４２‥‥係止用リブ（つまみ側）、４３‥‥係止用リブ（キャビネット側）、４４‥‥係止用リブ（つまみ側）、４５‥‥係止用リブ（キャビネット側）、５０‥‥支点ピン、５１‥‥押え、５２‥‥被係合部、５３、５４‥‥Ｕ字状屈曲部、５５、５６‥‥押圧部、６０‥‥連結部、６１、６２‥‥押釦、６３‥‥被押圧部、６４‥‥先端部
【図１】
0003791562.tif 000002
【図２】
0003791562.tif 000003
【図３】
0003791562.tif 000004
【図４】
0003791562.tif 000005
【図５】
0003791562.tif 000006
【図６】
0003791562.tif 000007
【図７】
0003791562.tif 000008
【図８】
0003791562.tif 000009